(57)【要約】【課題】低温時にミラーに発生する非点収差の量を低減し、良好な光学特性が得られる光ピックアップ簡単な構成で実現する。【解決手段】低温時にミラーに発生する非点収差とほぼ垂直方向の非点収差を対物レンズやコリメートレンズに発生させることで、ミラーに発生する非点収差を低減させ、簡単な構成で良好な光学特性を実現することが出来る。【選択図】図１
2008276829.tif 000002
【特許請求の範囲】
【請求項１】
光源からの光を反射させ光の進行方向を変化させるミラーと、前記ミラーで反射された光を情報記録媒体に集光させる対物レンズを備えた光ピックアップであって、
前記ミラーは光学ベースに接着され、前記対物レンズはレンズホルダに前記ミラーの接着方向とほぼ直交する方向に接着されており、前記ミラーに発生する非点収差を前記対物レンズで発生する非点収差により低減させることを特徴とする光ピックアップ。
【請求項２】
光源からの発散光を平行光にするコリメートレンズを備え、前記コリメートレンズを前記光学ベースに、前記ミラーの接着方向とほぼ直交する方向に接着することにより、前記ミラーに発生する非点収差を、前記対物レンズおよび前記コリメートレンズに発生する非点収差により低減させることを特徴とする請求項１記載の光ピックアップ。
【請求項３】
前記対物レンズは前記ミラーの接着方向および前記ミラーの接着方向とほぼ直交する方向の両方向に接着されており、前記対物レンズを接着する前記ミラーの接着方向の接着剤の貯蔵弾性率は、前記対物レンズを接着する前記ミラーの接着方向とほぼ直交する方向の接着剤の貯蔵弾性率よりも低いことを特徴とする請求項１記載の光ピックアップ。
【請求項４】
前記対物レンズは前記ミラーの接着方向および前記ミラーの接着方向とほぼ直交する方向の両方向に接着されており、前記対物レンズを接着する前記ミラーの接着方向の接着剤の貯蔵弾性率は、前記対物レンズを接着する前記ミラーの接着方向とほぼ直交する方向の接着剤の貯蔵弾性率よりも低いことを特徴とする請求項２記載の光ピックアップ。
【発明の詳細な説明】
【技術分野】
【０００１】
本発明は、光ディスクに対して情報の記録再生をおこなう光ピックアップに関するものである。
【背景技術】
【０００２】
図５は従来の光ピックアップの構成例を示したものである。光源１からの発散光を平行光に変換するコリメートレンズ７、この平行光を反射させることにより光の進行方向を変化させるミラー２、ミラー２で反射された光をディスク６に集光させる対物レンズ３を備えており、コリメートレンズ７およびミラー２は接着剤２ａ、２ｂ、７ａ、７ｂ、７ｃ、７ｄにより光学ベース５に接着固定され、対物レンズ３はフォーカスおよびトラッキング方向の駆動をおこなうアクチュエータ（図示せず）のレンズホルダ４に接着剤３ａ、３ｂ、３ｃ、３ｄにより接着固定されている。この種の光ピックアップの構成は例えば特許文献1に記載されている。
【０００３】
一般に接着剤の貯蔵弾性率が高いと、接着剤が硬化する際に光学部品を歪ませ、非点収差や球面収差、コマ収差といった収差が発生する。しかし逆に貯蔵弾性率が低いと高温時の接着強度が低下することが分かっている。そこで常温での貯蔵弾性率が低く、かつ高温時の接着強度が確保できるアクリル系の接着剤を使用し、レンズやミラーといった光学部品に発生する収差を低減させる方法がよく用いられている。
【０００４】
また対物レンズ３およびコリメートレンズ７については、ほぼ垂直をなす２方向（図５のＸ、Ｙ方向）に対して対称となるように主にレンズ側面の４箇所を接着することで、レンズに発生する歪みのバランスをとり、球面収差、コマ収差および非点収差の発生を抑制している。
【０００５】
しかしミラー２は光学ベース５との接触面に接着剤を塗布するため、塗布された接着剤は毛細管現象によりミラー２と光学ベース５との隙間を拡がっていく。したがって、ほぼ垂直をなす２方向（図のＸ、Ｙ方向）に対称となるように４箇所に接着剤を塗布したとしても、小型の光ピックアップではミラー２が小さいために接着剤間の距離が小さく、接着剤同士がつながってしまう場合がある。そのため、ミラー２に発生する収差量のバラツキは大きくなり、収差の方向も安定しない。この接着剤同士のつながりを防止するためには、塗布する接着剤の総量を減らす必要があるが、１箇所あたりの接着剤量を減らすことは管理が困難であるため、通常は接着点数を２点にすることで、接着剤塗布状態を安定化させている。
【特許文献１】特開２０００−１８７８６４号公報
【発明の開示】
【発明が解決しようとする課題】
【０００６】
近年では、従来よりも幅広い温度範囲での光ピックアップの性能が要望される傾向にある。しかし、図６に示すように低温では接着剤の貯蔵弾性率が常温よりも大幅に上昇するため、低温時に対物レンズ３やコリメートレンズ７、ミラー２等の光学部品には常温よりも極めて大きな歪みが発生し、球面収差やコマ収差、非点収差といった収差にも影響をおよぼす。
【０００７】
対物レンズ３やコリメートレンズ７については図５のような従来構成でも、ほぼ垂直な２方向に対称な位置を接着固定することで歪みのバランスが確保できるため、低温環境下での歪みは常温環境よりも大きくなるが、歪み同士が打ち消しあうため、収差の発生は抑制される。
【０００８】
ところが、ミラー２は一方向（図５ではＸ方向）にしか対称でないため、発生した歪みが打ち消しあわず、Ｘ方向に必ず非点収差が発生する。通常は常温環境下で貯蔵弾性率の低いアクリル系接着剤を使用するため、常温環境化での非点収差量は微量である。しかし、アクリル系接着剤でも低温環境下では貯蔵弾性率が急激に増加するため、非点収差量も増大し、光ピックアップの記録再生性能が大幅に悪化する。
【０００９】
また、低温での貯蔵弾性率が小さい接着剤では光学部品に発生する歪みは小さいが、高温での接着強度が十分に確保できないため、接着強度の確保と低温時に発生する非点収差量を抑制が両立できない点が課題である。
【００１０】
そこで本発明の目的は、低温時にミラーに発生する非点収差の量を低減し、良好な光学特性が得られる光ピックアップ簡単な構成で実現する光ピックアップを提供することにある。
【課題を解決するための手段】
【００１１】
本発明の光ピックアップは、低温時にミラーに発生する非点収差とほぼ垂直方向の非点収差を対物レンズおよびコリメートレンズの少なくとも1つに発生させることで、ミラーに発生する非点収差を低減し、簡単な構成で良好な光学特性を実現することを最も主要な特徴とする。
【００１２】
具体的には本発明の請求項１記載の光ピックアップは、光源からの光を反射させ光の進行方向を変化させるミラーと、前記ミラーで反射された光を情報記録媒体に集光させる対物レンズを備えた光ピックアップであって、前記ミラーは光学ベースに接着され、前記対物レンズはレンズホルダに前記ミラーの接着方向とほぼ直交する方向に接着されており、前記ミラーに発生する非点収差を前記対物レンズで発生する非点収差により低減させることを特徴とする。
【００１３】
また本発明の請求項２記載の光ピックアップは、請求項１記載の光ピックアップにおいて、光源からの発散光を平行光にするコリメートレンズを備え、前記コリメートレンズを前記光学ベースに、前記ミラーの接着方向とほぼ直交する方向に接着することにより、前記ミラーに発生する非点収差を、前記対物レンズおよび前記コリメートレンズに発生する非点収差により低減させることを特徴とする。
【００１４】
また本発明の請求項３記載の光ピックアップは、請求項１記載の光ピックアップにおいて、前記対物レンズは前記ミラーの接着方向および前記ミラーの接着方向とほぼ直交する方向の両方向に接着されており、前記対物レンズを接着する前記ミラーの接着方向の接着剤の貯蔵弾性率は、前記対物レンズを接着する前記ミラーの接着方向とほぼ直交する方向の接着剤の貯蔵弾性率よりも低いことを特徴とする。
【００１５】
また本発明の請求項４記載の光ピックアップは、請求項２記載の光ピックアップにおいて、前記対物レンズは前記ミラーの接着方向および前記ミラーの接着方向とほぼ直交する方向の両方向に接着されており、前記対物レンズを接着する前記ミラーの接着方向の接着剤の貯蔵弾性率は、前記対物レンズを接着する前記ミラーの接着方向とほぼ直交する方向の接着剤の貯蔵弾性率よりも低いことを特徴とする。
【発明の効果】
【００１６】
本発明の光ピックアップは、接着剤の位置および種類だけで低温時に発生する非点収差を低減し、かつ十分な接着強度の確保が可能なため、小型かつ安価で良好な光学特性を実現できる。
【発明を実施するための最良の形態】
【００１７】
（実施の形態１）
図１は本発明の第１の実施の形態におけるピックアップの構成を示しており、部品点数が少ないため、ＣＤやＭＤ等の赤外レーザを使用する安価な光ピックアップに特に適している。
【００１８】
図１において、１は光源、２はミラー、３は対物レンズ、４はレンズホルダ、５は光学ベース、６はディスクを示している。光源１は接着剤（図示せず）により光学ベース５に接着固定され、ミラー２は、接着剤２a、２ｂにより光学ベース５の一方向（この例ではX方向）に一列に配置された位置に接着固定されている。また、対物レンズ３は接着剤３a、３ｂによりミラー２の接着方向とほぼ垂直方向（即ちY方向）に一列に配置された位置をレンズホルダ４に接着固定され、レンズホルダ４を搭載したアクチュエータは光学ベース５に固定されている。
【００１９】
光学ベース５には光学要素部品一式が搭載されているが、図示を簡単にするため省略する。このことは、以下の実施の形態２以降においても同様である。
【００２０】
光源１から射出された発散光はミラー２により反射されて対物レンズ３に入射し、ディスク６に集光される。
【００２１】
接着剤には貯蔵弾性率の低いアクリル系が一般的に用いられるが、東亜合成社製のLCR0629Bを用いれば、常温での貯蔵弾性率が107Pa程度と低く、常温での収差発生の抑制が可能である。しかし、低温時には貯蔵弾性率が109Pa程度と約100倍に増加するため、ミラー２にはX方向の非点収差が発生し、対物レンズ３にはY方向の非点収差が発生する。対物レンズに発生する非点収差の方向は、ミラー２に発生する非点収差の方向とほぼ垂直方向であるため、互いに打ち消し合い、ミラー２に発生する非点収差を低減することが出来る。発生する非点収差の量は、レンズホルダ４に設けられた接着剤３ａ、３ｂの接着溜まりの大きさを調整し、塗布する接着剤３ａ、３ｂの量を変更することでおこなう。
【００２２】
なお、LCR0629B以外の接着剤を使用する場合でも、同等の貯蔵弾性率を有していれば、同様の効果が得られる。
（実施の形態２）
図２は第２の実施の形態のピックアップの構成を示し、図２において、コリメートレンズ７は光学ベース５に、接着剤７ａ，７ｂにより接着固定されており、その他の構成は実施の形態１と同様である。実施の形態１にコリメートレンズ７が追加されており、ＢＤやＨＤ−ＤＶＤ、ＤＶＤ等の青色および赤色レーザを使用し、実施の形態１よりもさらに厳しい収差の管理が必要な光ピックアップに特に有効な実施形態である。
【００２３】
光源１から射出された発散光はコリメートレンズ７により平行光に変換され、ミラー２により反射されて対物レンズ３に入射し、ディスク６に集光される。
【００２４】
対物レンズ３とコリメートレンズ７の接着位置は、ミラー２の接着位置とほぼ垂直をなしているため、低温時に発生する非点収差の方向もそれぞれほぼ垂直をなしており、ミラー２にはX方向、対物レンズ３とコリメートレンズ７にはY方向の非点収差が発生する。そのため、ミラー２に発生する非点収差は、対物レンズ３およびコリメートレンズ７に発生する非点収差と打ち消しされ、低減される。
【００２５】
なお、接着剤は実施の形態１と同様にLCR0629Bと同等のものを使用し、非点収差量の調整は実施の形態１と同様の方法によりおこなう。
（実施の形態３）
図３は第３の実施の形態のピックアップを示しており、部品点数が少ないため、ＣＤやＭＤ等の赤外レーザを使用する安価な光ピックアップに特に適している。
【００２６】
図３において、対物レンズ３は、ミラー２の接着方向とほぼ同じ方向の２箇所を接着剤３ｃ、３ｄによりレンズホルダ４に接着固定され、それとほぼ垂直方向の２箇所を接着剤３ａ、３ｂによりレンズホルダ４に接着固定されており、その他の構成は実施の形態１と同様である。
【００２７】
対物レンズ３の接着箇所が４箇所であり、実施の形態１の2箇所よりも多い。そのため、対物レンズ３の接着強度を高くすることが可能であり、耐落下衝撃特性に優れ、特にポータブル機器用の光ピックアップに有効な実施の形態である。
【００２８】
光源１から射出された発散光はミラー２により反射されて対物レンズ３に入射し、ディスク６に集光される。
【００２９】
接着剤３ｃ、３ｄには、低温時の貯蔵弾性率が108Pa程度である協立化学社製No.8120を使用し、接着剤３ａ、３ｂには低温時の貯蔵弾性率が協立化学社製 No.8120より低い109Pa程度である東亜合成社製 LCR0629Bが使用されている。そのため、低温時に発生する対物レンズ３の非点収差はミラー２に発生する非点収差の方向とほぼ垂直をなしており、ミラー２にはX方向、対物レンズ３にはY方向の非点収差が発生する。そのため、ミラー２に発生する非点収差は、対物レンズ３に発生する非点収差と打ち消しされ、低減させる。
【００３０】
なお、LCR0629BおよびNo.8120以外の接着剤を使用する場合でも、同等の貯蔵弾性率を有していれば、同様の効果が得られる。
【００３１】
また、非点収差量の調整は、レンズホルダ４に設けられた接着剤３ａ、３ｂの接着溜まりの大きさを調整し、塗布する接着剤３ａ、３ｂの量を変更することでおこなう。
（実施の形態４）
図４は第４の実施の形態のピックアップを示し、図４において、対物レンズ３は、ミラー２の接着方向とほぼ同じ方向の２箇所を接着剤３ｃ、３ｄによりレンズホルダ４に接着固定され、それとほぼ垂直方向の２箇所を接着剤３ａ、３ｂによりレンズホルダ４に接着固定されており、その他の構成は実施の形態２と同様である。対物レンズ３の接着箇所が４箇所であり、実施の形態２の2箇所よりも多い。そのため、対物レンズ３の接着強度を高くすることが可能であり、耐落下衝撃特性に優れ、特にポータブル機器用の光ピックアップに有効な実施の形態である。
【００３２】
光源１から射出された発散光はコリメートレンズ７により平行光に変換され、ミラー２により反射されて対物レンズ３に入射し、ディスク６に集光される。実施の形態２よりもコリメートレンズ７が追加されており、ＢＤやＤＶＤ、ＨＤ−ＤＶＤ等の青色および赤色レーザを使用し、実施の形態１よりもさらに厳しい収差の管理が必要な光ピックアップに特に有効な実施形態である。
【００３３】
接着剤３ｃ、３ｄには、低温時の貯蔵弾性率が108Pa程度である協立化学社製のワールドロックNo.8120を使用し、接着剤３ａ、３ｂには低温時の貯蔵弾性率が協立化学社製のワールドロックNo.8120より低い109Pa程度である東亜合成社製のLCR0629Bが使用されている。また、コリメートレンズ７はミラー２の接着方向とほぼ垂直方向の２箇所を東亜合成社製のLCR0629B接着剤７ａ、７ｂにより光学ベース５に接着固定されている。そのため、低温時に対物レンズ３とコリメートレンズ７に発生する非点収差はミラー２に発生する非点収差の方向とほぼ垂直をなしており、ミラー２にはX方向、対物レンズ３とコリメートレンズ７にはY方向の非点収差が発生する。したがって、ミラー２に発生する非点収差は、対物レンズ３およびコリメートレンズ７に発生する非点収差と打ち消しされ、低減される。
【００３４】
なお、LCR0629BおよびNo.8120以外の接着剤を使用する場合でも、同等の貯蔵弾性率を有していれば、同様の効果が得られる。
【００３５】
また、非点収差量の調整は、レンズホルダ４に設けられた接着溜まりの大きさ変更による接着剤３ａ、３ｂの量の調整、もしくは、光学ベース５に設けられた接着溜まりの大きさ変更による接着剤７ａ、７ｂの量の調整によりおこなう。
【産業上の利用可能性】
【００３６】
本発明にかかる光ピックアップは、車載用途等の過酷な温度条件で使用される光ピックアップに有用であり、特に厳しい収差条件を必要とされる記録密度の高い光ピックアップに適している。
【図面の簡単な説明】
【００３７】
【図１】本発明の実施の形態１による光ピックアップの構成図
【図２】本発明の実施の形態２による光ピックアップの構成図
【図３】本発明の実施の形態３による光ピックアップの構成図
【図４】本発明の実施の形態４による光ピックアップの構成図
【図５】従来の光ピックアップの構成図
【図６】接着剤の貯蔵弾性率の温度特性図
【符号の説明】
【００３８】
１    光源
２    ミラー
２ａ、２ｂ    ミラー用接着剤
３    対物レンズ
３ａ、３ｂ、３ｃ、３ｄ    対物レンズ用接着剤
４    レンズホルダ
５    光学ベース
６    ディスク
７    コリメートレンズ
７ａ、７ｂ、７ｃ、７ｄ    コリメートレンズ用接着剤
【図１】
2008276829.tif 000003
【図２】
2008276829.tif 000004
【図３】
2008276829.tif 000005
【図４】
2008276829.tif 000006
【図５】
2008276829.tif 000007
【図６】
2008276829.tif 000008